【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
エンジン始動キー（５Ａ，５Ｂ）のＩＤコードと、イモビライザ制御部（１７）に記録
したＩＤコードとを照合し、照合が成立したときに、そのエンジン始動キー（５Ａ，５Ｂ）によるエンジンの始動を許可するようにした車輌の盗難防止システムにおいて、
前記エンジン始動キー（５Ａ，５Ｂ）とは別個に、ＩＤコードの書き換え又は書き込みを許可するための許可具（５Ｃ，５Ｄ）が設けられ、
許可具（５Ｃ，５Ｄ）のＩＤコードとイモビライザ制御部（１７）に記録したＩＤコードとを照合し、照合が成立したときに、エンジンキー（５）がエンジン始動キー（５Ａ，５Ｂ）として機能するように、エンジンキー（５）のＩＤコードとイモビライザ制御部（１７）のＩＤコードとを対応させる始動キー登録機能が設けられていることを特徴とする車輌の盗難防止システム。
【請求項２】
エンジン始動キー（５Ａ，５Ｂ）のＩＤコードと、イモビライザ制御部（１７）に記録したＩＤコードとを照合し、照合が成立したときに、そのエンジン始動キー（５Ａ，５Ｂ）によるエンジンの始動を許可し、照合が成立しなかったとき、そのエンジン始動キー（５Ａ，５Ｂ）によるエンジンの始動を不能にするようにした車輌の盗難防止システムにおいて、
前記エンジン始動キー（５Ａ，５Ｂ）とは別個に、ＩＤコードの書き換え又は書き込みを許可するための許可キー（５Ｃ，５Ｄ）が設けられ、
許可キー（５Ｃ，５Ｄ）のＩＤコードとイモビライザ制御部（１７）に記録したＩＤコードとを照合し、照合が成立したときに、エンジンキー（５）がエンジン始動キー（５Ａ，５Ｂ）として機能するように、エンジンキー（５）のＩＤコードとイモビライザ制御部（１７）のＩＤコードとを対応させる始動キー登録機能が設けられていることを特徴とする車輌の盗難防止システム。
【請求項３】
エンジン始動キー（５Ａ，５Ｂ）のＩＤコードと、イモビライザ制御部（１７）に記録したＩＤコードとを照合し、照合が成立したときに、そのエンジン始動キー（５Ａ，５Ｂ）によるエンジンの始動を許可し、照合が成立しなかったとき、そのエンジン始動キー（５Ａ，５Ｂ）によるエンジンの始動を不能にするようにした車輌の盗難防止システムにおいて、
ＩＤコードの書き換え又は書き込みを許可するための許可キー（５Ｃ，５Ｄ）が設けられ、許可キー（５Ｃ，５Ｄ）のＩＤコードとイモビライザ制御部（１７）に記録したＩＤコードとを照合し、照合が成立したときに、エンジンキー（５）がエンジン始動キー（５Ａ，５Ｂ）として機能するように、エンジンキー（５）のＩＤコードとイモビライザ制御部（１７）のＩＤコードとを対応させる始動キー登録機能が設けられ、
エンジンキー（５）とイモビライザ制御部（１７）とに、ＩＤコードとして、エンジンキー（５）を特定するための暗号コードと、エンジンキー（５）の種類を識別するための識別コードとが記録され、識別コードにより、エンジンを始動するためのエンジン始動キー（５Ａ，５Ｂ）と、ＩＤコードの書き換え又は書き込みを許可するための許可キー（５Ｃ，５Ｄ）とが、識別可能とされていることを特徴とする車輌の盗難防止システム。
【請求項４】
前記始動キー登録機能は、許可キー（５Ｃ，５Ｄ）をキーシリンダ（３）に挿入した後に、エンジンキー（５）をキーシリンダ（３）に挿入したとき、エンジンキー（５）がエンジン始動キー（５Ａ，５Ｂ）として機能するように、エンジンキー（５）のＩＤコードとイモビライザ制御部（１７）のＩＤコードとを対応させるようにしたものであることを特徴とする請求項２又は３に記載の車輌の盗難防止システム。
【請求項５】
前記イモビライザ制御部（１７）に記録されている許可具（５Ｄ）のＩＤコードを、他の部材に許可具として機能するように書き込む複製機能が、具備されていることを特徴とする請求項１に記載の車輌の盗難防止システム。
【請求項６】
許可キー（５Ｄ）のＩＤコードを、他のエンジンキー（５）に許可キーとして機能するように書き込む許可キー複製機能が、具備されていることを特徴とする請求項２〜４のいずれかに記載の車輌の盗難防止システム。
【請求項７】
前記イモビライザ制御部（１７）の許可キー複製機能は、許可キー（５Ｄ）をキーシリンダ（３）に挿入した後に、他のエンジンキー（５）をキーシリンダ（３）に挿入したとき、許可キー（５Ｄ）のＩＤコードを、他のエンジンキー（５）に許可キーとして機能させるように書き込むものであることを特徴とする請求項６に記載の車輌の盗難防止システム。
【請求項８】
前記始動キー登録機能により登録したエンジン始動キー（５Ｂ）のＩＤコードは、他の車輌のイモビライザ制御部に、エンジン始動キーとして記録可能とされていることを特徴とする請求項１〜７のいずれかに記載の車輌の盗難防止システム。
【請求項９】
エンジン始動キー（５Ｂ）のＩＤコードを、他のエンジンキー（５）にエンジン始動キーとして機能させるように書き込む始動キー複製機能が、具備されていることを特徴とする請求項１〜８のいずれかに記載の車輌の盗難防止システム。
【請求項１０】
前記イモビライザ制御部（１７）の始動キー複製機能は、エンジン始動キー（５Ｂ）をキーシリンダ（３）に挿入した後に、他のエンジンキー（５）をキーシリンダ（３）に挿入したとき、エンジン始動キー（５Ｂ）のＩＤコードを、他のエンジンキー（５）にエンジン始動キーとして機能させるように書き込むものであることを特徴とする請求項９に記載の車輌の盗難防止システム。
【請求項１１】
前記イモビライザ制御部（１７）に記録されているエンジン始動キー（５Ａ、５Ｂ）のＩＤコードをイモビライザ制御部（１７）から削除する削除機能が具備されていることを特徴とする請求項１〜１０のいずれかに記載の車輌の盗難防止システム。
【請求項１２】
エンジンキー（５）をキーシリンダ（３）に挿入して特殊操作を行ったとき、エンジン始動を許可する特殊操作によるエンジン始動機能が設けられていること特徴とする請求項１〜１１のいずれかに記載の車輌の盗難防止システム。
【請求項１３】
前記イモビライザ制御部（１７）のＩＤコード記録部分を初期化する初期化機能が具備されていることを特徴とする請求項１〜１２のいずれかに記載の車輌の盗難防止システム。
【請求項１４】
キーシリンダ（３）に、許可キー（５Ｃ，５Ｄ）が挿入されたとき、許可キー（５Ｃ，５Ｄ）のＩＤコードとイモビライザ制御部（１７）に記録したＩＤコードとを照合し、照合が成立したときに、前記始動キー登録機能が動作可能になる制御モードを起動するようにしたことを特徴とする請求項２〜４のいずれか又は請求項６〜７のいずれかに記載の車輌の盗難防止システム。
【請求項１５】
キーシリンダ（３）に、許可キー（５Ｄ）のマスタキーが挿入されたとき、前記許可キー複製機能が動作可能になる制御モードを起動するようにしたことを特徴とする請求項２〜４のいずれか又は請求項６〜７のいずれかに記載の車輌の盗難防止システム。
【請求項１６】
キーシリンダ（３）に、エンジン始動キー（５Ｂ）のマスタキーが挿入されたとき、前記始動キー複製機能が動作可能になる制御モードを起動するようにしたことを特徴とする請求項９又は１０に記載の車輌の盗難防止システム。
【請求項１７】
前記盗難防止システムが適用される車輌が、バックホー等の作業機であることを特徴とする請求項１〜１６のいずれかに記載の車輌の盗難防止システム。